(57)【要約】【課題】キャリアテープにおいてネスティングを防止する。【解決手段】ポケット２２間にはダミーポケット２４が１個ずつ形成されている。ダミーポケット２４はポケット２２と同一方向の凹みの底をもつエンボス穴である。ダミーポケット２４の開口部の平面形状は、キャリアテープ本体２０の長手方向に直交する方向において、中央部で狭く、両端部で広くなっているＩ型をしている。ダミーポケット２４の両端部の幅広部分におけるキャリアテープ本体長手方向の幅寸法Ｘ２はポケット２２の同方向の幅Ｘ１よりも大きく、それに直交する方向の長さＹ２はポケット２２の同方向の長さＹ１よりも大きい。ダミーポケット２４の深さは中央部で浅く、両端部で深い。【選択図】図１
2007191224.tif 000002
【特許請求の範囲】
【請求項１】
可撓性をもつ樹脂製キャリアテープ本体の表面側に開口をもちこのキャリアテープ本体の長手方向に等間隔でキャリアテープ本体の厚さよりも深く形成されたエンボス穴が物品収納用ポケットとして形成されたキャリアテープにおいて、
前記収納用ポケット間に、前記収納用ポケットと同じ深さ方向で少なくとも一部の深さが前記収納用ポケットと同じか又はそれよりも深く形成されたエンボス穴にてなり、物品が収納されることのないダミーポケットが配置されており、
前記ダミーポケットは、その外側の底面が前記収納用ポケットの開口部上に重なるように配置したとき、その外側の底面が前記収納用ポケットの開口部から少なくとも一部がはみ出す形状に形成されており、かつ、その外側の底面の平面サイズがその開口部の平面サイズよりも大きく形成されており、
前記収納用ポケットと前記ダミーポケットは開口部の平面形状が互いに異なっていることを特徴とする小型物品収納用キャリアテープ。
【発明の詳細な説明】
【技術分野】
【０００１】
本発明は、半導体装置のチップ・サイズ・パッケージ（ＣＳＰ：chip size package）などの小型チップ部品、携帯電話のマイクなどの小型部品のような物品を安定した状態で収納するためのキャリアテープに関するものである。
【背景技術】
【０００２】
チップ部品は最終段階で電気的特性を測定して良否が判定された後、良品のみが所定の包装形態にパッケージされて出荷されている。この作業はほとんど自動化されている。例えば、現在、チップ部品の包装は、キャリアテープに部品収納凹部がエンボス加工により一列に等間隔に形成された、いわゆるエンボステープの各エンボスにチップ部品を挿入した後、カバーテープにより封入する方法が多く採用され、また、そのための自動包装装置が用いられている。
【０００３】
図１１に従来のキャリアテープを物品収納状態で示す図であり、（Ａ）は平面図、（Ｂ）はポケット位置で幅方向に切断した断面図である。（Ａ）にはカバーテープの図示は省略されており、（Ｂ）ではカバーテープも図示されている。
２は可撓性をもつ樹脂製キャリアテープ本体で、その長手方向には物品を収納するためのポケット４がエンボス穴により形成されている。ポケット４内にはＣＳＰのような物品６が収納される。ここでは物品６としてＣＳＰが収納されているものとする。ＣＳＰ６はその電極端子、例えば半田端子が下側になるようにポケット４に収納される。
【０００４】
ポケット４はキャリアテープ本体２の長手方向に沿って等間隔で一列に配列されている。そのポケット４の配列の片側にはキャリアテープ本体２を間欠送りするための送り穴８が等間隔で開けられている。
【０００５】
キャリアテープ本体２で、ポケット４の開口部が設けられている側の平坦面はフランジ部１０となり、そこにはポケット４に収納された部品６を封入するために樹脂製のカバーテープ１２が接着又は熱圧着により取り付けられる。
【０００６】
物品６がポケット４に収納され、カバーテープ１２により封入された状態のキャリアテープは、カバーテープ１２が外側になるようにしてリールに巻き取られる。図１２はリールに巻き取られたキャリアテープの重なり部の一部断面図を示したものであり、内側のキャリアテープのポケット４ａの位置に外側のキャリアテープのポケット４ｂが丁度重なった個所を示している。図の下側がリールの中心方向を表わしている。
【０００７】
一般に、ポケット４は物品の収納時及び取出し時の操作性から内部底面積よりも開口部の面積の方が大きくなるように形成されている。キャリアテープ本体２は厚みをもっているが、その厚みを考慮してもポケット４の外側底面のサイズは開口部のサイズよりも小さくなっている。そのため、図１２のように、内側のキャリアテープのポケット４ａの位置に外側のキャリアテープのポケット４ｂが丁度重なった個所では、キャリアテープをリールに巻き取る際や、巻き取った後の搬送時などで力が加わると、図１３に示されるように、外側のポケット４ｂの底部が内側のポケット４ａの開口部に入り込む、所謂ネスティングという現象が生じる。
【０００８】
このようなキャリアテープに収納される物品が、例えばＢＧＡ（Ball Grid Array）タイプの半田端子を有するＣＳＰの場合、ネスティングによる圧力により半田端子が変形することがある。ＣＳＰに限らず、他の物品においてもネスティングにより破損することがある。
【０００９】
そこで、このようなネスティングの問題を回避するために、ポケット内部の壁面構造を改良することにより、ネスティングを防止したキャリアテープが提案されている（特許文献１参照）。その提案のキャリアテープでは、ポケットの壁面部に外側方向に突起したリブ部を形成し、リブ部分の断面形状において底部の外側寸法がポケットの開口部寸法より大きくなるようにしている。
【特許文献１】特開２００２−４６７７０号公報
【発明の開示】
【発明が解決しようとする課題】
【００１０】
ポケットの形状自体を改良する方法では、大きな物品を収納するキャリアテープでは支障がないが、ＣＳＰのような小さい物品を収納するポケットでは、ポケット自体が小さいため、そのポケットの壁面に物品収納の目的以外の形状を構成することは、物品の収納に対する機能を低下させるおそれがある。
そこで、本発明はキャリアテープにおいてネスティングを防止することを目的とするものであるが、提案のような物品収納用のポケット自体の変更ではなく、他の手段よってネスティングを防止することを目的とするものである。
【課題を解決するための手段】
【００１１】
本発明は、可撓性をもつ樹脂製キャリアテープ本体の表面側に開口をもちこのキャリアテープ本体の長手方向に等間隔でキャリアテープ本体の厚さよりも深く形成されたエンボス穴が物品収納用ポケット（以下単にポケットと呼ぶ）として形成されたキャリアテープにおいて、ポケット間に、ポケットと同じ深さ方向で少なくとも一部の深さがポケットと同じか又はそれよりも深く形成されたエンボス穴にてなり、物品が収納されることのないダミーポケットが配置されており、ダミーポケットは、その外側の底面がポケットの開口部上に重なるように配置したとき、その外側の底面がポケットの開口部から少なくとも一部がはみ出す形状に形成されており、かつ、その外側の底面の平面サイズがその開口部の平面サイズよりも大きく形成されており、収納用ポケットとダミーポケットは開口部の平面形状が互いに異なっていることを特徴とするものである。
【００１２】
このキャリアテープではポケットの両側にダミーポケットが配置されているので、ポケットに物品が収納されカバーテープで封止された後、キャリアテープがリールに巻き取られたとき、隣接する内側と外側でポケットの位置が重なったとしても、ダミーポケットが両キャリアテープ間の距離を維持するように作用し、外側のキャリアテープのポケット底部が内側のキャリアテープのポケット開口部に入り込みにくくなり、ネスティングを防止することができる。
【００１３】
本発明の参考例は、可撓性をもつ樹脂製キャリアテープ本体の表面側に開口をもちこのキャリアテープ本体の長手方向に等間隔でキャリアテープ本体の厚さよりも深く形成されたエンボス穴が物品ポケットとして形成されたキャリアテープにおいて、キャリアテープ本体の裏面には少なくとも一部の高さが前記ポケットと同じか又はそれよりも高い板状に突出したリブがキャリアテープ本体に一体として形成されていることを特徴とするものである。
【００１４】
このキャリアテープではポケットの両側にリブが配置されているので、ポケットに物品が収納されカバーテープで封止された後、キャリアテープがリールに巻き取られたとき、隣接する内側と外側でポケットの位置が重なったとしても、リブが両キャリアテープ間の距離を維持するように作用し、外側のキャリアテープのポケット底部が内側のキャリアテープのポケット開口部に入り込みにくくなり、ネスティングを防止することができる。
【００１５】
ダミーポケットを形成した本発明のキャリアテープにおいて、ダミーポケットは、その外側の底面形状がポケットの開口部から少なくとも一部がはみ出す形状に形成されている。これにより、キャリアテープがリールに巻き取られたとき、隣接する内側のキャリアテープのポケットと外側のキャリアテープのダミーポケットの位置が重なったとしても、ダミーポケットの底部がポケット開口部に入り込むことがない。
【００１６】
ダミーポケットの外側の底面形状がポケットの開口部平面形状から少なくとも一部がはみ出す形状に形成されている形状の１つの例は、ダミーポケットの外側の底面とポケットの開口部は、キャリアテープ本体の長手方向においては一方が他方より長い部分をもち、それと直交する方向においては他方が一方より長い部分をもっている形状である。
【００１７】
ダミーポケットの外側の底面形状がポケットの開口部平面形状から少なくとも一部がはみ出す形状に形成されている形状の他の例は、ダミーポケットの外側の底面形状がポケットの開口部形状とは異なる種類の形状に形成されている場合である。
【００１８】
ダミーポケットの外側の底面形状がポケットの開口部平面形状から少なくとも一部がはみ出す形状に形成されている形状のさらに他の例は、ダミーポケットはキャリアテープ本体の長手方向とそれに直交する方向（幅方向）の少なくとも一方の方向の両端部では中央部よりも深さが深くなっており、ダミーポケットの外側の底面がポケットの開口部上に重なるように配置したとき、ダミーポケットの端部の外側底面の少なくとも一部がポケットの開口部からはみ出す形状に形成されている場合である。
【００１９】
ダミーポケットの外側の底面形状がポケットの開口部平面形状から少なくとも一部がはみ出す形状に形成されている形状のさらに他の例は、ダミーポケットはキャリアテープ本体の長手方向に直交する方向の両端部では中央部よりも幅が広くなっており、ダミーポケットの外側の底面がポケットの開口部上に重なるように配置したとき、ダミーポケットの端部の外側底面の少なくとも一部がポケットの開口部からはみ出す形状に形成されている場合である。
【００２０】
ダミーポケットの形状の好ましい例は、ダミーポケットの壁面がキャリアテープ本体の表面の平面に対して垂直方向に形成されて開口部形状と内側の底面形状が同一になっているものである。キャリアテープ本体には厚みがあるため、ダミーポケットの外側底面の面積はダミーポケットの開口部の面積よりも大きくなる。キャリアテープがリールに巻き取られたとき、隣接する内側と外側でポケットの位置が重なったとき、ダミーポケットどうしも重なるが、ダミーポケットでは外側底面積の方が開口部面積よりも大きいため、外側のダミーポケットの底部が内側のダミーポケットの開口部に入り込むことがなく、隣接するキャリアテープ間の距離を維持することができる。これにより、ダミーポケット間に存在する内側キャリアテープのポケットと外側キャリアテープのポケットは、重なり合ったとしても外側のポケットの底部が内側のポケットの開口部に入り込むことが防止される。
【００２１】
リブを形成した参考例のキャリアテープにおいて、好ましい形態では、リブはポケット間に配置され、キャリアテープ本体の長手方向に延びた形状に形成されている。
【００２２】
さらに好ましくは、リブはキャリアテープ本体の長手方向で複数に分割されている。これにより、キャリアテープをリールに巻き取る際、送り方向（キャリアテープ本体の長手方向）に曲がりやすくなる。
【００２３】
リブはポケット間以外の領域にも形成されていてもよい。キャリアテープがリールに巻き取られたとき、隣接する内側と外側でポケットの位置が重なったとき、リブが多いほど隣接キャリアテープ間の距離を維持しやすくなり、外側のポケットの底部が内側のポケットの開口部に入り込むことが有効に防止される。
【００２４】
本発明によれば、物品を収納するポケットの形状によらず、ダミーポケットによって外側のポケットの底部が内側のポケットの開口部に入り込むことが防止されるので、ポケットの形状は物品の収納や取出しに好都合なように設計することができる。そのように設計された好ましいポケット形状の一例は、平面形状が実質的に矩形であり、その内壁面に開口部に向かって開く方向のテーパー部をもち、そのテーパー部での開口寸法は収納される物品の４辺がそのテーパー部と接触して支持されたときその物品の底面にあるいずれの部分もこのポケットの底面と接触しない寸法に設定されているものである。このように、ポケット内で物品を４辺で支持し、電極のような底面にある部分がポケットの底面と接触しないようにすれば、半田電極のような機械的損傷を受けやすい部分を保護することができて好都合である。
【００２５】
さらに好ましいポケット形状として、ポケット内壁面のテーパー部には収納される物品の底面を支持する突出部が設けられており、その突出部は収納される物品がその突出部で支持されたときその物品の底面にあるいずれの部分もこのポケットの底面と接触しない位置に設けられているものとすることができる。このように突出部を設けることにより、収納しようとする物品のサイズが小さくなってその４辺をテーパー部に接触させて支持できない場合、この突出部で物品を支持することによって、物品の底面にある半田端子のような部分がポケットの底面と接触することを防止することができるようになる。
【００２６】
ポケットの内壁面にテーパー部が設けられている場合のさらに好ましいポケット形状は、ポケットの内壁面でテーパー部が設けられている部分の４つの隅角部がテーパー部よりも外方向に窪んでいるものである。これにより、収納しようとする物品の角がポケットの内壁面と接触せずに収納できるため、安定して収納することができる。
【００２７】
このキャリアテープに物品を収納するにはポケットに物品を封入するためにキャリアテープの表面に樹脂製カバーシートを取り付ける。本発明のキャリアテープとそのキャリアテープのポケットに物品を封入するためにキャリアテープの表面に取り付けられる樹脂製カバーシートを組み合わせて小型物品収納装置としてもよい。
そのような小型物品収納装置に物品を収納してリールに巻き取るようにしてもよい。すなわち、ポケットに物品が収納され、キャリアテープの表面に樹脂製カバーシートが取り付けられて物品がポケットに封入された状態のキャリアテープがカバーシートを外側にしてリールに巻き取られているようにしてもよい。
本発明のキャリアテープを用いた小型物品収納装置によれば、ポケットに物品が収納されカバーテープで封止された後、キャリアテープがリールに巻き取られたとき外側のキャリアテープのポケット底部が内側のキャリアテープのポケット開口部に入り込むネスティングを防止して、ポケットに収納された物品が損傷を受けるのを防止することができる。
【発明の効果】
【００２８】
本発明のキャリアテープでは、可撓性をもつ樹脂製キャリアテープ本体の表面側に開口をもちこのキャリアテープ本体の長手方向に等間隔でキャリアテープ本体の厚さよりも深く形成されたエンボス穴が物品収納用ポケットとして形成されたキャリアテープにおいて、ポケット間に、ポケットと同じ深さ方向で少なくとも一部の深さがポケットと同じか又はそれよりも深く形成されたエンボス穴にてなり、物品が収納されることのないダミーポケットが配置されているので、ポケットに物品が収納されカバーテープで封止された後、キャリアテープがリールに巻き取られたとき、隣接する内側と外側でポケットの位置が重なったとしても、ダミーポケットが両キャリアテープ間の距離を維持するように作用し、外側のキャリアテープのポケット底部が内側のキャリアテープのポケット開口部に入り込みにくくなり、ネスティングを防止することができる。
【発明を実施するための最良の形態】
【００２９】
図１は第１の実施例を表わす。（Ａ）はキャリアテープ本体の平面図、（Ｂ）は（Ａ）のＢ−Ｂ線位置での断面図、（Ｃ）は（Ａ）のＡ−Ａ線位置での断面図である。
このキャリアテープは、ＢＧＡタイプのＣＳＰを収納するためのものである。２０はポリカーボネートからなる可撓性を持つキャリアテープ本体であり、その厚さは０．１８ｍｍである。２２は物品を収納する矩形のポケットであり、底をもつエンボス穴として形成されている。ポケット２２は多数個が同一形状で同一方向に凹みをもち、キャリアテープ本体２０の長手方向に沿って４ｍｍのピッチＰ１で一列に等間隔に配列されている。ポケット２２の開口部の平面形状の寸法は、Ｘ１＝１．０８ｍｍ、Ｙ１＝１．５８ｍｍである。
【００３０】
ポケット２２間にはダミーポケット２４が１個ずつ形成されている。ダミーポケット２４はポケット２２と同一方向の凹みとして形成された、底をもつエンボス穴である。ダミーポケット２４の開口部の平面形状は、キャリアテープ本体２０の長手方向に直交する方向において、中央部で狭く、両端部で広くなっているＩ型をしている。両端部の幅広部分におけるキャリアテープ本体長手方向の幅寸法Ｘ２は１．１ｍｍで、ポケット２２の同方向の幅Ｘ１よりも大きい。中央部の幅Ｘ２ａは端部よりも狭く、０．７ｍｍである。ダミーポケット２４の開口部の平面形状におけるキャリアテープ本体長手方向に直交する方向の長さＹ２は２．０ｍｍで、ポケット２２の同方向の長さＹ１よりも大きい。
【００３１】
ポケット２２とダミーポケット２４の配列の片側には、このキャリアテープ本体２０を間欠送りするための送り穴２６が等間隔で開けられてポケット２２と同じ配列方向に配列されている。送り穴２６はポケット２２の配列の両側に設けてもよい。
【００３２】
ポケット２２、ダミーポケット２４及び送り穴２６以外の本体２０の表面（２２，２４の開口部がある側の面）は平坦面であり、その平坦面上にはポケット２２に物品を収納し、封入するためにカバーテープが熱圧着又は接着により取り付けられるフランジ部２８となっている。フランジ部２８でカバーテープが取り付けられる領域は、送り穴２６を被うことなく、ポケット２２とダミーポケット２４の開口部を被う領域である。
【００３３】
ポケット２２の底面には穴３４が開けられている。この穴３４は物品をポケット２２に封入した後、存在を確認するとともに、ポケット２２内外の気圧変動を防ぐためのものである。しかし、この穴３４はなくてもよい。
【００３４】
ポケット２２の断面形状の一部を図２に拡大して示す。図２は図１の（Ｃ）の破線の円Ｃで囲まれた部分の拡大図である。ポケット２２の内側では、開口部から所定の深さまでの壁面３０がフランジ部２８の面に対し垂直方向に形成されており、その壁面３０より底部側の壁面３２は開口部方向に開いたテーパー面となっている。テーパー面３２には収納する物品の底面を支持するための突出部３６が形成されている。
【００３５】
図２において、３８はポケット２２に収納された物品のＣＳＰである。物品３８の底面には半田端子４０が形成されている。物品３８を収納する状態として、物品３８のサイズにより異なる形態がありうる。
【００３６】
１つの形態は、図２に示されているように、物品３８の４辺がテーパー部３２と接触して支持され、物品３８の底面と突出部３６が直接接触しない状態である。
【００３７】
他の形態は、物品３８が小さくなって、物品３８の４辺がテーパー部３２と接触せず、物品３８の底面が突出部３６と当接して支持される状態である。
何れの場合でも物品３８の底面にある半田端子４０などの部分は、ポケット２２の底面とは接触しないで支持される。
しかしながら、本発明は、突出部３６がなく、物品３８を支持するためにテーパー部３２のみを備えている場合も１つの実施例として含むものである。
【００３８】
テーパー面３２が形成されている深さの位置において、ポケット２２の壁面の隅角部にはそのテーパー面３２は形成されておらず、図１（Ａ）に示されているように、テーパー面３２よりも外方向に窪んだ窪み３３が形成されている。これにより、物品３８の角が壁面に接触しないようになり、ポケット２２に物品３８を挿入したり取り出したりする際の操作性が向上するとともに、ポケット２２で物品３８を安定して支持することができるようになる。
【００３９】
図１にはカバーテープは図示されていないが、物品３８をポケット２２に収納した後、熱圧着によりカバーテープがフランジ部２８に取り付けられてポケット２２の開口部が封止される。
【００４０】
ダミーポケット２４は、中央部２５ａとその両端部２５ｂとからなる。中央部２５ａの深さは両端部２５ｂの深さよりも浅い。両端部２５ｂの深さはポケット２２の深さと同じである。ダミーポケット２４の壁面はフランジ部２８の面に対し垂直方向に形成されている。
【００４１】
キャリアテープ本体２０の材質は、上に示したポリカーボネートの他、ＡＰＥＴ（アモルファス・ポリエチレンテレフタレート）やポリスチレンなどを用いることができる。また、カバーテープの材質としては、ポリエステルなどを用いることができる。
【００４２】
物品を収納した状態のキャリアテープをカバーテープで封止し、リールに巻き取る。巻き取られた状態では、内側に巻かれたキャリアテープとそれに隣接してその外側に巻かれたキャリアテープの間で、ポケットどうしが重なったり、ポケット上にダミーポケットが重なる状態が起こりうる。
【００４３】
図３はポケット２２どうしが重なった場合を図示したものである。（Ａ）はポケット２２どうしが重なっている部分を表わしている。そのポケット２２の両側ではダミーポケット２４どうしが（Ｂ）のように重なる状態となっている。ポケット２２には物品３８が収納され、カバーテープ２１で封止されている。
【００４４】
図３（Ｂ）に示されるように、ダミーポケット２４どうしの重なり部では、ダミーポケット２４の壁面がフランジ部の面に垂直であることから、ダミーポケット２４の外部底面のサイズが開口部のサイズに比べてキャリアテープ本体２０の厚みの分だけ大きくなるため、外側に巻かれたキャリアテープのダミーポケット２４の底部が内側に巻かれたキャリアテープのダミーポケット２４の開口部に入り込むことはなく、ダミーポケット２４が内外両キャリアテープの間隔を保持する。その結果、ポケット部では、外側に巻かれたキャリアテープのポケット２２の外側底面のサイズが内側に巻かれたキャリアテープのポケット２２の開口部のサイズよりも小さいが、ポケット２２の両側にあるダミーポケット２４によって内外両キャリアテープの間隔が保持されるため、外側に巻かれたキャリアテープのポケット２２の外側底部が内側に巻かれたキャリアテープのポケット２２の開口部に入り込むことが防止される。
【００４５】
また、内側に巻かれたキャリアテープのポケット２２とそれに隣接してその外側に巻かれたキャリアテープのダミーポケット２４が重なることも起こりうる。図４はその状態を表わしたものである。（Ａ）はキャリアテープ本体の長手方向に切断した状態の断面図、（Ｂ）はそれに直交する方向に切断した状態の断面図である。
【００４６】
図１で説明したように、キャリアテープ本体の長手方向に関しては、ダミーポケット２４は中央部２５ａでは幅Ｘ２ａがポケット２２の幅Ｘ１よりも小さいが、深さが両端部２５ｂよりも浅く、一方ダミーポケット２４の両端部２５ｂの幅Ｘ２はポケット２２の幅Ｘ１よりも大きいため、図４（Ａ）に示されるように、ダミーポケット２４の外側底部がポケット２２の開口部に入り込むことが防止される。
【００４７】
また、キャリアテープ本体の幅方向に関しては、ダミーポケット２４の長さＹ２がポケット２２の長さＹ１よりも大きいことによっても、図４（Ｂ）に示されるように、ダミーポケット２４の外側底部がポケット２２の開口部に入り込むことが防止される。
【００４８】
図５は第２の実施例を表わす。（Ａ）は平面図、（Ｂ）はそのＡ−Ａ線位置での断面図である。図６は同実施例におけるポケットを物品を収納した状態で示す図であり、（Ａ）は平面図、（Ｂ）はその１つの側方からみた断面図、（Ｃ）はそれと直交する他の側方からみた断面図である。この実施例を第１の実施例と比較すると、ポケット２２ａ間にダミーポケット２４ａが形成されている点は共通しているが、ポケット２２ａ及びダミーポケット２４ａの形状が異なる。
【００４９】
ポケット２２ａにおいては、図６と壁面断面の拡大図である図７に示されるように、開口部側の壁面３０ａはフランジ面２８に対し垂直ではなく、開口部側が開く方向に傾斜したテーパー面となっている点で異なる。底部側にもテーパー面３２が設けられているが、開口部側のテーパー面３０ａは底部側のテーパー面３２よりも傾斜が急である。底部側のテーパー面３２及びそのテーパー面３２に設けられた突出部３６は第１の実施例と同じである。
【００５０】
また、  テーパー面３２が形成されている深さの位置において、ポケット２２ａの壁面の隅角部にはそのテーパー面３２は形成されておらず、図１の実施例と同様に、テーパー面３２よりも外方向に窪んだ窪み３３が形成されている。
【００５１】
図６と図７はポケット２２ａに物品３８としてＣＳＰが収納された状態を示している。この物品３８のサイズは、４辺がテーパー面３２で支持される大きさであり、物品３８の底面と突出部３６の間に隙間のある状態で支持されている。物品３８のサイズが小さくなると、物品３８の底面が突出部３６と接触して突出部３６により支持されるようになる。いずれの場合も半田端子４０はポケット２２ａの底面とは接触しない。
【００５２】
ダミーポケット２４ａは壁面がフランジ面２８に対して垂直方向に形成され、深さは均一になっている。ダミーポケット２４ａの外側のサイズはキャリアテープ本体２０ａの長手方向に対してはポケット２２ａの開口部の幅よりも広く、それと直交する方向に対してはポケット２２ａの開口部の幅よりも狭く設定されている。ダミーポケット２４ａの深さはポケット２２ａの深さと同一又はそれ以上である。
【００５３】
図８（Ａ）はこの実施例において内側に巻かれたキャリアテープのポケット２２ａと隣接してその外側に巻かれたキャリアテープのポケット２２ａが重なった状態を示したものである。その場合は、内側に巻かれたキャリアテープのダミーポケット２４ａと外側に巻かれたキャリアテープのダミーポケット２４ａも図８（Ｂ）に示されたように重なることになるが、ダミーポケット２４ａは壁面が垂直であるため外側底面のサイズは開口部のサイズよりも大きく、従ってダミーポケット２４ａどうしの重なり部で底部が開口部に入り込むネスティング現象は起こらない。そのため、ダミーポケット２４ａ間に挟まれたポケット２２ａどうしの重なり部においても内外の両キャリアテープ間の間隔がダミーポケット２４ａによって維持され、ポケット２２ａどうしのネスティング現象も防止される。
【００５４】
図９はポケット２２ａとダミーポケット２４ａが重なった状態を表わしたものである。（Ａ）は図５中にＡ方向と示した方向から見た断面図、（Ｂ）は図５中にＢ方向と示した方向から見た断面図である。
【００５５】
ダミーポケット２４ａのキャリアテープ本体長手方向の幅がポケット２２ａの幅よりも広いので、ダミーポケット２４ａの底部がポケット２２ａの開口部に入り込むネスティング現象は起こらない。
【００５６】
図１０は参考例を表わしたものであり、（Ａ）は平面図、（Ｂ）はそのキャリアテープ本体長手方向の断面図である。キャリアテープ本体２０ｂで、ポケット２２間の裏面側（キャリアテープ本体２０ｂのフランジ部２８を表面側としており、裏面側はその反対側）に板状のリブ５０がキャリアテープ本体２０ｂと一体的に形成されている。リブ５０はキャリアテープ本体２０ｂの長手方向に延びる板状の形状をもち、ポケット２２とは一体化されておらず、リブ５０自体において長手方向で２つに分割された形状に形成されている。リブ５０の全体の長さＬはポケット２２の開口部の幅Ｗよりも長く、リブ５０の高さＨはポケット２２の外側寸法と同じである。
【００５７】
この参考例においては、内側に巻かれたキャリアテープのポケット２２と隣接してその外側に巻かれたキャリアテープのポケット２２が重なるようにキャリアテープがリールに巻かれた場合にも、ポケット２２間のリブ５０がキャリアテープ本体２０ｂ間の間隔を維持するため、外側のポケット２２の底部が内側のポケット２２の開口部に入り込むことは防止される。
【００５８】
また、リブ５０がポケット２２上にきた場合、リブの長さＬがポケット２２の開口部の幅Ｗよりも大きく設定されているので、リブ５０がポケット２２の開口部に入り込むこともない。
【図面の簡単な説明】
【００５９】
【図１】第１の実施例を表わす図であり、（Ａ）はキャリアテープ本体の平面図、（Ｂ）は（Ａ）のＢ−Ｂ線位置での断面図、（Ｃ）は（Ａ）のＡ−Ａ線位置での断面図である。
【図２】同実施例のポケットの断面形状の一部を示す拡大断面図である。
【図３】同実施例においてポケットどうしが重なった場合を示したものであり、（Ａ）はポケットどうしが重なっている部分を示す断面図、（Ｂ）はダミーポケットどうしが重なっている部分を示す断面図である。
【図４】同実施例においてポケットとダミーポケットが重なった場合を示したものであり、（Ａ）はキャリアテープ本体の長手方向に切断した状態の断面図、（Ｂ）はそれに直交する方向に切断した状態の断面図である。
【図５】第２の実施例を表わす図であり、（Ａ）は平面図、（Ｂ）はそのＡ−Ａ線位置での断面図である。
【図６】同実施例におけるポケットを物品を収納した状態で示す図であり、（Ａ）は平面図、（Ｂ）はその１つの側方からみた断面図、（Ｃ）はそれと直交する他の側方からみた断面図である。
【図７】同実施例のポケットの断面形状の一部を示す拡大断面図である。
【図８】同実施例においてポケットどうしが重なった場合を示したものであり、（Ａ）はポケットどうしが重なっている部分を示す断面図、（Ｂ）はダミーポケットどうしが重なっている部分を示す断面図である。
【図９】同実施例においてポケットとダミーポケットが重なった場合を示したものであり、（Ａ）は図５中にＡ方向と示した方向から見た断面図、（Ｂ）は図５中にＢ方向と示した方向から見た断面図である。
【図１０】参考例を表わす図であり、（Ａ）は平面図、（Ｂ）はそのキャリアテープ本体長手方向の断面図である。
【図１１】従来のキャリアテープを物品収納状態で示す図であり、（Ａ）は平面図、（Ｂ）はポケット位置で幅方向に切断した断面図である。
【図１２】リールに巻き取られた従来のキャリアテープの重なり部を示す断面図である。
【図１３】従来のキャリアテープの重なり部で外側のポケットの底部が内側のポケットの開口部に入り込むネスティングを示す断面図である。
【符号の説明】
【００６０】
２０，２０ａ，２０ｂ    キャリアテープ本体
２２，２２ａ    ポケット
２４，２４ａ    ダミーポケット
２５ａ    ダミーポケットの中央部
２５ｂ    ダミーポケットの端部
２６    送り穴
２８    フランジ部
３０，３０ａ    ポケットの壁面
３２    テーパー面
３６    突出部
３８    ポケットに収納された物品
４０    半田端子
【図１】
2007191224.tif 000003
【図２】
2007191224.tif 000004
【図３】
2007191224.tif 000005
【図４】
2007191224.tif 000006
【図５】
2007191224.tif 000007
【図６】
2007191224.tif 000008
【図７】
2007191224.tif 000009
【図８】
2007191224.tif 000010
【図９】
2007191224.tif 000011
【図１０】
2007191224.tif 000012
【図１１】
2007191224.tif 000013
【図１２】
2007191224.tif 000014
【図１３】
2007191224.tif 000015